(57)【特許請求の範囲】
【請求項１】
ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置であって、
前記ＵＲＬはファイルであって、
前記複数のブラウザ機能各々で共有するＵＲＬを記憶する共有ＵＲＬフォルダを有し、全部の前記複数のブラウザ機能は前記共有するＵＲＬを使うことができ、
前記記憶手段に記憶された前記ＵＲＬを前記共有ＵＲＬフォルダに移動することで当該ＵＲＬを前記複数のブラウザ機能各々から読出し自在とした
ことを特徴とする携帯端末装置。
【請求項２】
前記共有ＵＲＬフォルダにおいて、前記複数のブラウザ機能各々から同一のＵＲＬに対する登録、編集、削除、参照を自在としたことを特徴とする請求項１記載の携帯端末装置。
【請求項３】
前記Ｗｅｂページを表示する表示手段を含み、
前記共有ＵＲＬフォルダの内容を読出して表示するための図形を前記表示手段の表示画面に表示しておき、前記図形の押下時に前記複数のブラウザ機能の中からいずれかを選択するための選択画面を前記表示画面に表示することを特徴とする請求項１または請求項２記載の携帯端末装置。
【請求項４】
前記共有ＵＲＬフォルダに記憶された前記ＵＲＬを前記複数の記憶手段のいずれかに移動することで当該ＵＲＬの読出しを移動先の記憶手段に対応するブラウザ機能に限定することを特徴とする請求項１から請求項３のいずれか記載の携帯端末装置。
【請求項５】
ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置に用いるＵＲＬ管理方法であって、前記ＵＲＬはファイルであって、前記携帯端末装置が、前記複数のブラウザ機能各々で共有するＵＲＬを共有ＵＲＬフォルダに記憶する処理を実行し、全部の前記複数のブラウザ機能は前記共有するＵＲＬを使うことができ、前記記憶手段に記憶された前記ＵＲＬを前記共有ＵＲＬフォルダに移動することで当該ＵＲＬを前記複数のブラウザ機能各々から読出し自在としたことを特徴とするＵＲＬ管理方法。
【請求項６】
前記共有ＵＲＬフォルダにおいて、前記複数のブラウザ機能各々から同一のＵＲＬに対する登録、編集、削除、参照を自在としたことを特徴とする請求項５記載のＵＲＬ管理方法。
【請求項７】
前記共有ＵＲＬフォルダの内容を読出して表示するための図形を前記Ｗｅｂページを表示する表示手段の表示画面に表示しておき、前記図形の押下時に前記複数のブラウザ機能の中からいずれかを選択するための選択画面を前記表示画面に表示することを特徴とする請求項５または請求項６記載のＵＲＬ管理方法。
【請求項８】
前記共有ＵＲＬフォルダに記憶された前記ＵＲＬを前記複数の記憶手段のいずれかに移動することで当該ＵＲＬの読出しを移動先の記憶手段に対応するブラウザ機能に限定することを特徴とする請求項５から請求項７のいずれか記載のＵＲＬ管理方法。
【請求項９】
ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置に用いるＵＲＬ管理方法のプログラムであって、前記ＵＲＬはファイルであって、前記携帯端末装置のコンピュータに、前記複数のブラウザ機能各々で共有するＵＲＬを共有ＵＲＬフォルダに記憶する処理を実行させ、全部の前記複数のブラウザ機能は前記共有するＵＲＬを使うことができ、前記記憶手段に記憶された前記ＵＲＬを前記共有ＵＲＬフォルダに移動することで当該ＵＲＬを前記複数のブラウザ機能各々から読出し自在としたことを特徴とするプログラム。
【発明の詳細な説明】
【技術分野】
【０００１】
本発明は携帯端末装置及びそれに用いるＵＲＬ管理方法並びにそのプログラムに関し、特に携帯電話機等の携帯端末装置に搭載された複数のブラウザソフトウェア各々におけるＵＲＬ（Ｕｎｉｆｏｒｍ  Ｒｅｓｏｕｒｃｅ  Ｌｏｃａｔｏｒ）の管理方法に関する。
【背景技術】
【０００２】
携帯電話機等の携帯端末装置においては、携帯電話及び無線ＬＡＮ（Ｌｏｃａｌ  Ａｒｅａ  Ｎｅｔｗｏｒｋ）等の通信ベアラが異なるために、別々のブラウザを用意したり、サイト表示するための条件がある場合にサイトにあわせたブラウザを用意したりと、携帯電話機内に複数のブラウザを具備する場合がある。【０００３】
この場合には、複数のブラウザ各々個別に予め設定されたＵＲＬ（一般に、この設定したＵＲＬとそのＵＲＬで指定される際との名称との組合せがブックマーク等と呼ばれている）を保持しておくためのブックマークフォルダを持つため（例えば、特許文献１参照）、複数のブラウザ間でブックマークのやり取りができず、使用者がＵＲＬをメモしたり、コピーしたり等の処理を行うことでやり取りする必要があり、使用者に負担を強いている。【０００４】
携帯電話機に複数のブラウザを具備している場合、各ブラウザで独立したブックマークフォルダを持っており、ブラウザ各々でブックマークフォルダに登録したＵＲＬを他のブラウザが参照することができない。そのため、同一のＷｅｂページのＵＲＬを登録したい場合には、個々のブラウザで同じＵＲＬをブックマークフォルダに登録する必要がある。【０００５】
実際のＵＲＬ登録方法例としては、まず１つ目のブラウザに登録したいサイトを表示させてブックマークフォルダへの登録を行い、次に表示されたＵＲＬをメモするか、コピー機能を使って記録しておき、２つ目以降のブラウザではＵＲＬ入力機能（任意のＵＲＬを入力してＷｅｂページを表示する機能）を使って先ほどメモしたＵＲＬを打ち込むか、またはペースト機能を使って貼り付けて必要なＷｅｂページを表示してからそのブラウザのブックマークフォルダへの登録を行っている。【０００６】
このため、複数のブラウザにおいて同一のＵＲＬをブックマークフォルダに登録する際に、複数のブラウザ各々で、別々に目的のサイトを表示させてからブックマークフォルダに登録する必要があり、使用者の手間がかかり、使い勝手が悪くなっている。【０００７】
この使用者の負担を軽減するために、複数のブラウザ各々でＵＲＬを共有するために共有ブックマークファイルを設け、その共有ブックマークファイルに所定形式で格納されたＵＲＬを利用する際に、共有ブックマークファイルから読出したＵＲＬを複数のブラウザ各々に対応する形式に変換して利用する方法が提案されている（例えば、特許文献２参照）。
【特許文献１】特開２００２−３１２２７３号公報
【特許文献２】特開平１１−２５９４９６号公報
【発明の開示】
【発明が解決しようとする課題】
【０００８】
上述した従来のＵＲＬ管理方法では、複数のブラウザにおいて同一のＵＲＬをブックマークフォルダに登録する際に、複数のブラウザ各々で、別々に目的のサイトを表示させてからブックマークフォルダに登録する必要があり、使用者の手間がかかり、使い勝手が悪くなるという問題がある。【０００９】
通常、携帯電話機では、ブラウザが組み込みとなっており、パーソナルコンピュータのように、ユーザが複数のブラウザを入れ替えて使用することができない。このため、上記の特許文献２に記載された方法のように、共有ブックマークファイルから読出したＵＲＬを複数のブラウザ各々に対応する形式に変換するのにブックマーク統一管理プログラムを使用する場合には、そのブックマーク統一管理プログラムに携帯電話機に組み込まなければならないという問題がある。【００１０】
携帯電話機では、筐体の大きさに制限があるため、内蔵メモリもその記憶容量を大きくすることが難しく、ブックマーク統一管理プログラムによって内蔵メモリの記憶容量が圧迫されてしまうという問題もある。【００１１】
そこで、本発明の目的は上記の問題点を解消し、専用の管理プログラムを用いることなく、複数のブラウザ間でブックマークの共有化を図ることができる携帯端末装置及びそれに用いるＵＲＬ管理方法並びにそのプログラムを提供することにある。
【課題を解決するための手段】
【００１２】
本発明による携帯端末装置は、ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置であって、前記複数のブラウザ機能各々で共有するＵＲＬを記憶する共有ＵＲＬ記憶手段を備え、全部の前記複数のブラウザ機能は前記共有するＵＲＬを使うことができ、前記記憶手段に記憶された前記ＵＲＬを前記共有ＵＲＬ記憶手段に移動することで当該ＵＲＬを前記複数のブラウザ機能各々から読出し自在としたことを特徴とする。
【００１３】
本発明によるＵＲＬ管理方法は、ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置に用いるＵＲＬ管理方法であって、前記携帯端末装置が、前記複数のブラウザ機能各々で共有するＵＲＬを共有ＵＲＬ記憶手段に記憶する処理を実行し、全部の前記複数のブラウザ機能は前記共有するＵＲＬを使うことができ、前記記憶手段に記憶された前記ＵＲＬを前記共有ＵＲＬ記憶手段に移動することで当該ＵＲＬを前記複数のブラウザ機能各々から読出し自在としたことを特徴とする。
【００１４】
本発明によるＵＲＬ管理方法のプログラムは、ＷｅｂページのＵＲＬ（Ｕｎｉｆｏｒｍ  Ｒｅｓｏｕｒｃｅ  Ｌｏｃａｔｏｒ）が登録可能でかつ入れ替え不可の複数のブラウザ機能が組み込まれ、前記複数のブラウザ機能各々に対応して設けられた複数の記憶手段に前記ＵＲＬを記憶しておく携帯端末装置に用いるＵＲＬ管理方法のプログラムであって、前記携帯端末装置のコンピュータに、前記複数のブラウザ機能各々で共有するＵＲＬを共有ＵＲＬ記憶手段に記憶する処理を実行させ、全部の前記複数のブラウザ機能は前記共有するＵＲＬを使うことができ、前記記憶手段に記憶された前記ＵＲＬを前記共有ＵＲＬ記憶手段に移動することで当該ＵＲＬを前記複数のブラウザ機能各々から読出し自在としたことを特徴とする。
【００１５】
すなわち、本発明の携帯端末装置は、２つ以上のブラウザ機能が組み込まれ、各ブラウザで共有する共有ブックマークフォルダを設けることで、２つ以上のブラウザ各々から同一のブックマークを操作することが可能となり、使用者の負担を軽減することが可能となる。【００１６】
ここで、ブックマーク（Ｂｏｏｋｍａｒｋ）機能とは、何度も訪れるＷｅｂページのＵＲＬ（Ｕｎｉｆｏｒｍ  Ｒｅｓｏｕｒｃｅ  Ｌｏｃａｔｏｒ）を登録しておく機能で、簡単な操作でＷｅｂページのアドレスを指定することが可能となる。また、ブックマークフォルダとは、ブックマークを格納するためのフォルダである。【００１７】
より具体的に説明すると、本発明の携帯端末装置では、ブラウザＡが使用するブックマークフォルダ格納手段Ａと、ブラウザＢが使用するブックマークフォルダ格納手段Ｂとに加えて、ブラウザＡ，Ｂ共通で使用可能な共通ブックマーク格納手段を具備し、ブラウザＡ，Ｂ各々から共有ブックマークフォルダに登録したり、登録したブックマークを参照してＷｅｂページ表示をしたり、登録したブックマークを編集したり、登録したブックマークを削除したり、共有ブックマークフォルダから個別ブックマークフォルダへのブックマーク移動や逆に個別ブックマークフォルダから共有ブックマークへの移動を行う手段を具備している。【００１８】
これによって、本発明の携帯端末装置では、複数のブラウザＡ，Ｂで共通にアクセス可能な共有ブックマークフォルダを具備することで、ブラウザＡ，Ｂ各々が共有ブックマークフォルダに登録した場合、ブラウザＡ，Ｂ各々の間でブックマークの共有化を図ることが可能となり、ブラウザＡ，Ｂ各々に同じブックマークを登録しておく必要がなくなる。【００１９】
また、本発明の携帯端末装置では、固有ブックマークフォルダに登録しておいたブックマークを共通ブックマークフォルダに移動することで、全部のブラウザＡ，Ｂでそのブックマークを簡単に使えるようになる。逆に、本発明の携帯端末装置では、共有ブックマークフォルダからブックマークを個別ブックマークフォルダに移動させることで、そのブラウザＡ，Ｂのみしか使えないようにすることも可能となる。【００２０】
さらに、本発明の携帯端末装置では、共有ブックマークフォルダのブックマークを削除することで、全てのブラウザＡ，Ｂで削除されたことになる。さらにまた、本発明の携帯端末装置では、共有ブックマークフォルダを具備することで、ブラウザＡ，Ｂで同じブックマークを登録することがなくなるため、メモリ使用効率が向上する。
【発明の効果】
【００２１】
本発明は、上記のような構成及び動作とすることで、専用の管理プログラムを用いることなく、複数のブラウザ間でブックマークの共有化を図ることができるという効果が得られる。
【発明を実施するための最良の形態】
【００２２】
次に、本発明の実施例について図面を参照して説明する。図１は本発明の一実施例による携帯電話機の構成を示すブロック図である。図１において、携帯電話機１はＣＰＵ（中央処理装置）１１と、ブラウザ（Ａ）１２と、ブラウザ（Ｂ）１３と、送受信部１４と、ＲＯＭ（リード・オンリ・メモリ）１５と、ブラウザＡブックマークフォルダ用メモリ１６と、共有ブックマークフォルダ用メモリ１７と、ブラウザＢブックマークフォルダ用メモリ１８と、作業用メモリ１９と、キー入力部２０と、操作キー２１と、表示制御部２２と、表示部２３とから構成されている。【００２３】
ＣＰＵ１１は携帯電話機１内の各部に接続されており、そのうちＲＯＭ１５はＣＰＵ１１が実行するための各種の制御用プログラムやかな文字変換等に使用される辞書等の固定的なデータを格納している。作業用メモリ１９はＲＡＭ（ランダム・アクセス・メモリ）によって構成されており、ＣＰＵ１１がプログラムを実行する上で一時的に必要とされるデータを格納するようになっている。ブラウザ表示をするための画面データ等も、この作業用メモリ１９の所定の領域に格納される。【００２４】
キー入力部２０は操作キー２１からのキー入力を受付ける入力回路である。表示制御部２２は表示部２３の表示を制御する制御回路である。表示部２３は図示しない装置本体の前面に配置されており、白黒あるいはカラーの液晶パネルあるいは有機ＥＬ（Ｅｌｅｃｔｒｏ  Ｌｕｍｉｎｅｓｃｅｎｃｅ：電子蛍光）等の表示装置である。送受信部１４は無線によってブラウザや音声等のデータ送受信を行う回路である。【００２５】
ブラウザ（Ａ）１２及びブラウザ（Ｂ）１３はＷｅｂページを閲覧するためのアプリケーションソフトであり、ＨＴＭＬ（Ｈｙｐｅｒ  Ｔｅｘｔ  Ｍａｒｋｕｐ  Ｌａｎｇｕａｇｅ）ファイルや画像ファイル、音楽ファイル等をダウンロードし、レイアウトを解析して表示・再生する。本実施例では、ブラウザ（Ａ）１２及びブラウザ（Ｂ）１３が携帯電話機１本体に組み込まれており、入れ替えできるソフトウェアではない。【００２６】
ブラウザＡブックマークフォルダ用メモリ１６及びブラウザＢブックマークフォルダ用メモリ１８はブラウザ（Ａ）１２及びブラウザ（Ｂ）１３各々について固有に使用するブックマークを記憶するメモリであり、共有ブックマークフォルダ用メモリ１７はブラウザ（Ａ）１２及びブラウザ（Ｂ）１３各々について共有で使用するブックマークを記憶するメモリであり、不揮発性メモリで構成されている。【００２７】
図７は本発明の一実施例におけるブックマークフォルダに登録した複数のブックマークの内容についての一例を示した図である。図７において、ブックマークフォルダはブックマークを束ねて管理する機構であり、ブックマークはブックマークタイトル（文字列）とＷｅｂページのＵＲＬ（Ｕｎｉｆｏｒｍ  Ｒｅｓｏｕｒｃｅ  Ｌｏｃａｔｏｒ）から構成されている。個別ブックマークフォルダ及び共有ブックマークフォルダはまったく同じ構成となる。【００２８】
本発明の一実施例による携帯電話機１は上記のような構成となっているが、図１に示すブラウザ（Ａ）１２及びブラウザ（Ｂ）１３の仕組みは、当業者にとってよく知られており、また本発明とは直接関係しないので、その詳細な構成についての説明は省略する。また、本実施例では、携帯電話機１に２つのブラウザを組み込んでいるが、それ以上のブラウザを組み込んでもよい。【００２９】
図２は本発明の一実施例で使用するブラウザ閲覧中のブックマーク登録処理を示すフローチャートである。これら図１及び図２を参照して本発明の一実施例で使用するブラウザ閲覧中のブックマーク登録処理について説明する。以下の説明では、携帯電話機１にｎ個（ｎは２以上の整数）のブラウザを組み込んでいるものとする。【００３０】
携帯電話機１においてブラウザｎでＷｅｂページ閲覧中（図２ステップＳ１，Ｓ２）、その閲覧中のＷｅｂページをブックマークに登録する場合、ブラウザ機能メニューを立ち上げるために操作キー２１の操作が行われると（図２ステップＳ３）、ＣＰＵ１１は表示部２３にブラウザｎ機能メニューを表示させる（図２ステップＳ４）。【００３１】
ＣＰＵ１１は機能選択によって「ブックマーク登録」が選択されると（図２ステップＳ５）、表示部２３にブックマークフォルダ一覧を表示する（図２ステップＳ６）。この時、ＣＰＵ１１は現在表示されているＷｅｂページのブックマークデータ（ブックマークタイトル、ＵＲＬ）を取得しておく（図２ステップＳ７）。【００３２】
ＣＰＵ１１は表示されたフォルダ一覧の中からブックマークを保存するブックマークフォルダとして共有ブックマークフォルダが選択されると（図２ステップＳ８）、ブックマークデータを共有ブックマークフォルダ用メモリ１７に格納する（図２ステップＳ９）。また、ＣＰＵ１１は個別ブックマークフォルダが選択されると（図２ステップＳ８）、ブックマークデータをブラウザｎブックマークフォルダ用メモリに格納する（図２ステップＳ１０）。【００３３】
図３は本発明の一実施例で使用するブラウザ閲覧中に登録したブックマークを指定して、そのＷｅｂページを表示する際の処理を示すフローチャートである。これら図１及び図３を使用して本発明の一実施例で使用するブラウザ閲覧中に登録したブックマークを指定してそのＷｅｂページを表示する際の処理について説明する。以下の説明では、携帯電話機１にｎ個（ｎは２以上の整数）のブラウザを組み込んでいるものとする。【００３４】
携帯電話機１においてブラウザｎでＷｅｂページ閲覧中（図３ステップＳ２１，Ｓ２２）、その閲覧中のＷｅｂページをブックマークに登録する場合、ブラウザ機能メニューを立ち上げるために操作キー２１の操作が行われると（図３ステップＳ２３）、ＣＰＵ１１は表示部２３にブラウザｎ機能メニューを表示させる（図３ステップＳ２４）。【００３５】
ＣＰＵ１１は機能選択によって「ブックマーク一覧」が選択されると（図３ステップＳ２５）、表示部２３にブックマークフォルダ一覧を表示する（図３ステップＳ２６）。ＣＰＵ１１は目的のブックマークが格納されているフォルダが選択されると（図３ステップＳ２７）、そのフォルダ内のブックマークの一覧を表示部２３に表示する。【００３６】
このとき、ＣＰＵ１１は共有ブックマークフォルダが選択された場合、共有ブックマークフォルダ用メモリ１７に格納されたブックマークを取り出して表示部２３に表示する（図３ステップＳ２８）。また、ＣＰＵ１１はブラウザｎ専用のブックマークフォルダが選択された場合、ブラウザｎブックマークフォルダ用メモリに格納されたブックマークを取り出して表示部２３に一覧表示する（図３ステップＳ２９）。【００３７】
ＣＰＵ１１はブックマーク一覧から目的のブックマークが選択されると、そのブックマークデータを取り出し（図３ステップＳ３０）、そのブックマークデータのＷｅｂページを表示部２３に表示する（図３ステップＳ２２）。【００３８】
図４は本発明の一実施例で使用する各ブラウザのブックマークフォルダから共有ブックマークフォルダを選択した時の表示画面を示す図である。図４において、ブラウザ（Ａ）４０１及びブラウザ（Ｂ）４０３のどちらから「（２）共有Ｂｏｏｋｍａｒｋ」を選択しても、共有ブックマークフォルダ４０２が表示される。【００３９】
図５は本発明の一実施例によるブックフォルダ間でのブックマークの移動についての表示画面を示す図である。図５において、個別ブックマークフォルダに格納されたブックマークは個別ブラウザでしかアクセスできないが、個別ブックマークフォルダ５０１から共有ブックマークフォルダにブックマークを移動させると、全てのブラウザからアクセスが可能となる。【００４０】
また逆に、共有ブックマークフォルダ５０２から個別ブックフォルダに移動させると、いままで全てのブラウザからアクセス可能だったブックマークが個別ブラウザでしかアクセスできなくなる。【００４１】
図６は本発明の一実施例において共有ブックマークフォルダにあるブックマークをディスクトップ画面にショートカットアイコンとして登録した例を示す図である。図６において、個別ブックマークフォルダに格納されたブックマークをディスクトップ（表示部２３の表示画面）にショートカットアイコンとして登録した場合（図６の６０１）、そのアイコンを選択すると、個別ブラウザが立ち上がり、Ｗｅｂページを表示する。【００４２】
しかしながら、共有ブックマークフォルダにあるブックマークをディスクトップ（表示部２３の表示画面）に登録した場合、ブラウザを特定しないので、実装しているブラウザすべてを表示し、すべてのブラウザの中からユーザに選択させ（図６の６０２）、選択されたブラウザを使ってＷｅｂページを表示する（図６の６０４）。【００４３】
尚、本実施例ではブラウザ（Ａ）１２とブラウザ（Ｂ）１３との２つを具備しているが、３つ以上のブラウザを具備している場合においても、共有ブックマークフォルダは各々のブラウザからアクセスが可能である。また、本実施例では共有ブックマークフォルダを１つとしているが、複数の共有ブックマークフォルダを用意してもかまわない。【００４４】
このように、本実施例では、複数のブラウザで共通にアクセスできる共有ブックマークフォルダを具備することで、各ブラウザが共有ブックマークフォルダに登録した場合、各ブラウザ間でブックマークの共有化を図ることができ、各々のブラウザに同じブックマークを登録しておく必要がなくなる。【００４５】
また、本実施例では、固有ブックマークフォルダに登録しておいたブックマークを共通ブックマークフォルダに移動することで、簡単に全部のブラウザからそのブックマークを使うことができるようになる。本実施例では、上記とは逆に、共有ブックマークフォルダからブックマークを個別ブックマークフォルダに移動させることで、そのブラウザのみしか使えないようにすることもできる。【００４６】
さらに、本実施例では、共有ブックマークフォルダのブックマークを削除することで、全てのブラウザから見てそのブックマークが削除されたことになる。さらにまた、本実施例では、共有ブックマークフォルダを具備することで、各々のブラウザで同じブックマークを登録することがなくなるため、メモリ使用効率が向上する。【００４７】
尚、共有ブックマークフォルダはブラウザ動作中だけでなく、ブラウザ初期メニューやユーザデータ編集プログラム等でも登録や編集が可能である。共有ブックマークフォルダに格納されたブックマークは携帯電話機１内の共通ブックマークフォルダ用メモリ１７に保管するだけではなく、外部に接続した装置にエクスポートを行うことができ、また外部装置で作成したブックマークデータを共有ブックマークフォルダにインポートすることができる。
【産業上の利用可能性】
【００４８】
本発明は、携帯電話機、ＰＨＳ（Ｐｅｒｓｏｎａｌ  Ｈａｎｄｙｐｈｏｎｅ  Ｓｙｓｔｅｍ）等にて、装置内への入れ替えが不可の複数のブラウザを具備し、それら複数のブラウザ各々を使用してＷｅｂサイトの表示が可能な装置に適用可能である。
【図面の簡単な説明】
【００４９】
【図１】本発明の一実施例による携帯電話機の構成を示すブロック図である。
【図２】本発明の一実施例で使用するブラウザ閲覧中のブックマーク登録処理を示すフローチャートである。
【図３】本発明の一実施例で使用するブラウザ閲覧中に登録したブックマークを指定してそのＷｅｂページを表示する際の処理を示すフローチャートである。
【図４】本発明の一実施例で使用する各ブラウザのブックマークフォルダから共有ブックマークフォルダを選択した時の表示画面を示す図である。
【図５】本発明の一実施例によるブックフォルダ間でのブックマークの移動についての表示画面を示す図である。
【図６】本発明の一実施例において共有ブックマークフォルダにあるブックマークをディスクトップ画面にショートカットアイコンとして登録した例を示す図である。
【図７】本発明の一実施例におけるブックマークフォルダに登録した複数のブックマークの内容についての一例を示した図である。
【符号の説明】
【００５０】
１    携帯電話機
１１  ＣＰＵ
１２  ブラウザ（Ａ）
１３  ブラウザ（Ｂ）
１４  送受信部
１５  ＲＯＭ
１６  ブラウザＡブックマークフォルダ用メモリ
１７  共有ブックマークフォルダ用メモリ
１８  ブラウザＢブックマークフォルダ用メモリ
１９  作業用メモリ
２０  キー入力部
２１  操作キー
２２  表示制御部
２３  表示部
【図１】
0005326279.tif 000002
【図２】
0005326279.tif 000003
【図３】
0005326279.tif 000004
【図４】
0005326279.tif 000005
【図５】
0005326279.tif 000006
【図６】
0005326279.tif 000007
【図７】
0005326279.tif 000008